(57)【要約】      （修正有）【課題】誤貼付をせず容易にラベルを貼り付け可能なインクカートリッジを提供する。【解決手段】筐体１０の内部に形成されインクを収容するインク室と、インクをインク室内から筐体１０の外部へ吐出可能なインク吐出口１２と、インク室内に筐体１０の外部の空気を吸引可能な大気口１３とが形成され、表面にマーク３０が表示されたラベル２０が筐体１０の上面に貼り付けられたインクカートリッジ１であって、マーク３０は少なくとも第１のマーク３１と第２のマーク３２とから表示され、第１のマーク３１は文字または記号のうち少なくともいずれかを組み合わせた列表示であり、第２のマーク３２は第１のマーク３１と同じ列表示を上下左右反転した表示にする。【選択図】図１
2019051675.tif 000002
【特許請求の範囲】
【請求項１】
筐体の内部に形成されインクを収容するインク室と、前記インクを前記インク室内から前記筐体の外部へ吐出可能なインク吐出口と、前記インク室内に前記筐体の外部の空気を吸引可能な大気口とが形成され、表面にマークが表示されたラベルが前記筐体の上面に貼り付けられたインクカートリッジであって、
前記マークは少なくとも第１のマークと第２のマークとから表示され、前記第１のマークは文字または記号のうち少なくともいずれかを組み合わせた文字列であり、前記第２のマークは前記第１のマークと同じ文字列を上下左右反転した文字列であることを特徴とするインクカートリッジ。
【請求項２】
前記第１のマークと前記第２のマークとは同じ大きさであることを特徴とする請求項１のインクカートリッジ。
【請求項３】
前記ラベルの前記表面上を基準とした平面において、前記第１のマークと前記第２のマークとはラベルの長手方向にずれた位置関係にあることを特徴とする請求項１のインクカートリッジ。
【発明の詳細な説明】
【技術分野】
【０００１】
本発明は、インクジェット方式の印刷装置（インクジェットプリンタ）に搭載されるインクカートリッジに関する。
【背景技術】
【０００２】
印刷装置（プリンタ）には、印字機構（ヘッド）から記録液であるインクを吐出して記録媒体に記録を行うインクジェット方式と呼ばれるものがある。インクジェット方式の印刷装置では、印字機構に対するインクの供給方式として、印字機構に直接インクを供給するインクカートリッジを着脱自在に装着する方式がある。
【０００３】
近年、プリンタの小型化に伴いインクカートリッジを小型化する傾向があり、インクカートリッジの向きが分からず誤装着を起こすという問題が生じていた。この解決方法として、装着方向を示したラベルを貼り付けたインクカートリッジが提案されている（例えば特許文献１）。
【先行技術文献】
【特許文献】
【０００４】
【特許文献１】特開２０１７−１４８９８１号公報
【発明の概要】
【発明が解決しようとする課題】
【０００５】
しかし、上記特許文献１では、小型化したインクカートリッジの向きを確認してからラベルを貼り付ける必要があり、作業効率が低下するという問題があった。また、ラベルを逆さまに貼り付けてしまった場合、余計に誤装着を起こし易くしてしまうという問題があった。
【０００６】
そこで、小型化したインクカートリッジでも容易にラベルを貼り付けると共に誤貼付を防ぐべく鋭意研究した結果、本発明の完成に至った。本発明は、誤貼付をせず容易にラベルを貼り付け可能なインクカートリッジを提供することを目的とする。
【０００７】
この目的は、特許請求の範囲における独立項に記載の特徴の組み合わせにより達成される。また、従属項は本発明の更なる有利な具体例を規定する。
【課題を解決するための手段】
【０００８】
即ち、本発明の第１の発明は、筐体の内部に形成されインクを収容するインク室と、前記インクを前記インク室内から前記筐体の外部へ吐出可能なインク吐出口と、前記インク室内に空気を吸引可能な大気口とが形成され、表面にマークが表示されたラベルが前記筐体の上面に貼り付けられたインクカートリッジであって、前記マークは少なくとも第１のマークと第２のマークとから表示され、前記第１のマークは文字または記号のうち少なくともいずれかを組み合わせた文字列であり、前記第２のマークは前記第１のマークと同じ文字列を上下左右反転した文字列であることを特徴とするインクカートリッジである。
【０００９】
本発明の第２の発明は、第１の発明に記載の前記第１のマークと前記第２のマークとは同じ大きさであることを特徴とするインクカートリッジである。
【００１０】
本発明の第３の発明は、第１の発明に記載の前記ラベルの前記表面上を基準とした平面において、前記第１のマークと前記第２のマークとはラベルの長手方向にずれた位置関係にあることを特徴とするインクカートリッジである。
【発明の効果】
【００１１】
本発明の第１の発明であるインクカートリッジは、筐体の内部に形成されインクを収容するインク室と、インクをインク室内から筐体の外部へ吐出可能なインク吐出口と、インク室内に筐体の外部の空気を吸引可能な大気口とが形成され、表面にマークが表示されたラベルが筐体の上面に貼り付けられたインクカートリッジであって、マークは少なくとも第１のマークと第２のマークとから表示され、第１のマークは文字または記号のうち少なくともいずれかを組み合わせた文字列であり、第２のマークは第１のマークと同じ文字列を上下左右反転した文字列である構成にしている。本発明は、上記の構成としているので、ラベルの向きに関わらず第１のマークと第２のマークのどちらかは文字または記号として認識できるため、インクカートリッジの向きを確認しなくともラベルを貼り付けることができ、作業効率を向上させることができるという効果を奏する。
【００１２】
また、ラベルの文字が作業員の母国語と異なりその文字が読めなかったりした場合であってもラベルの貼り付け方向を確認することなく作業できるので、作業効率が向上するだけでなく、誤貼り付けが起こらないという効果を奏する。
【００１３】
本発明の第２の発明であるインクカートリッジは、第１のマークと第２のマークとが同じ大きさである構成にしている。本発明は、上記の構成としているので、個体毎でラベルを貼り付ける向きが違っても個体毎の外観の違和感を無くすことができるという効果を奏する。
【００１４】
本発明の第３の発明であるインクカートリッジは、ラベルの表面上を基準とした平面において、第１のマークと第２のマークとはラベルの長手方向にずれた位置関係にある構成にしている。本発明は、上記の構成としているので、個体毎でラベルを貼り付ける向きが違っても個体毎の外観の違和感を無くすことができるという効果を奏する。
【図面の簡単な説明】
【００１５】
【図１】本発明におけるインクカートリッジである。
【図２】本発明におけるインクカートリッジの断面図である。
【図３】本発明におけるラベルである。
【発明を実施するための形態】
【００１６】
本発明の１実施形態について図面を参照して説明するが、本発明はこの事例に限られるものではなく、適宜選択が可能である。
【００１７】
図１乃至図３に示すように、本実施形態のインクカートリッジ１は、筐体１０の内部に形成されインク２を収容するインク室１１と、インク２をインク室１１内から筐体１０の外部へ吐出可能なインク吐出口１２と、インク室１１内に空気を吸引可能な大気口１３とが形成され、表面にマーク３０が表示されたラベル２０が筐体１０の上面に貼り付けられたインクカートリッジ１であって、マーク３０は少なくとも第１のマーク３１と第２のマーク３２とから表示され、第１のマーク３１は文字または記号のうち少なくともいずれかを組み合わせた文字列であり、第２のマーク３２は第１のマーク３１と同じ文字列を上下左右反転した文字列である構成になっている。この構成にすることで、ラベル２０の向きに関わらず第１のマーク３１と第２のマーク３２のどちらかは文字または記号としてユーザーが認識できるため、インクカートリッジ１の向きを気にせずラベル２０を貼り付けることができ、作業効率を向上させることができる。
【００１８】
ラベル２０は表面が非粘着層、裏面が粘着層であり、裏面をインクカートリッジ１の筐体１０の上面に貼り付けることで、表面に表示されたマーク３０によってユーザーへ情報を伝えることができる。ここでの情報とは、インクカートリッジ１の機種や色種等であり、対応するインクカートリッジ１にラベル２０を貼り付けることで、ユーザーが所望のインクカートリッジ１を選択してプリンタへ装着できるようにしている。
【００１９】
マーク３０は第１のマーク３１と第２のマーク３２とを少なくとも含み、その他のマークを含めても良い。第１のマーク３１は、文字または記号のうち少なくともいずれかを組み合わせた列表示であり、例えば「ＡＢＣ」という機種のマゼンタの色種を表示する際には「ＡＢＣ−Ｍ」の様に表示したものである。第２のマーク３２は、第１のマーク３１と同じ列表示を上下左右反転した表示であり、第１のマーク３１を「ＡＢＣ−Ｍ」としたときは第２のマーク３２は図３のような表示となる。
【００２０】
このとき、第１のマーク３１と第２のマーク３２とは同じ大きさにすることが望ましい。この構成にすることで、ラベル２０をどちらの向きにしてもマーク３０の見た目が近くなり、個体毎でラベルを貼り付ける向きが違っても個体毎の外観の違和感が無くなる。
【００２１】
また、ラベル２０の表面上を基準とした平面において、第１のマーク３１と第２のマーク３２とはラベル２０の長手方向にずれた位置関係としても良い。この構成にすることで、ラベル２０をどちらの向きにしてもマーク３０の見た目が近くなり、個体毎でラベルを貼り付ける向きが違っても個体毎の外観の違和感が無くなる。
【００２２】
さらに、ラベル２０の表面上を基準とした平面において、第１のマーク３１と第２のマーク３２とはラベル２０の長手方向および短手方向にずれた位置関係としても良い。この構成にすることで、第１のマーク３１の位置と、ラベル２０を１８０度回転させたときの第２のマーク３２の位置とを同じ場所にすることができ、個体毎でラベルを貼り付ける向きが違っても個体毎の外観の違和感が無くなる。
【符号の説明】
【００２３】
１…インクカートリッジ
２…インク
１０…筐体
１１…インク室
１２…インク吐出口
１３…大気口
２０…ラベル
３０…マーク
３１…第１のマーク
３２…第２のマーク
【図１】
2019051675.tif 000003
【図２】
2019051675.tif 000004
【図３】
2019051675.tif 000005